(57)【要約】【課題】刃部への着脱操作をより簡単にして使い勝手を向上させる。【解決手段】生垣バリカンの刃部における固定板４の左右の側面に係止溝２６，２６を形成する一方、チップレシーバ１１の板状部１２に、左右の下端が固定板４の係止溝２６に夫々弾性係止可能で、且つ任意に拡開操作可能なクリップ１８を設けて、クリップ１８による固定板４の挟持によってチップレシーバ１１を刃部へ取付可能とした。【選択図】図３
2008113651.tif 000002
【特許請求の範囲】
【請求項１】
生垣バリカンの本体の前方へ突設され、固定板の下部に可動刃を設けてなる刃部に、チップレシーバを取り付けるための構造であって、
前記固定板の左右の側面に被係止部を夫々形成する一方、
前記チップレシーバにおける前記刃部への取付部に、左右の下端が前記固定板の被係止部に夫々弾性係止可能で、且つ任意に拡開操作可能なクリップを設けて、
前記クリップによる前記固定板の挟持によって前記チップレシーバを前記刃部へ取付可能としたことを特徴とする生垣バリカンへのチップレシーバの取付構造。
【請求項２】
固定板の角部とクリップの下端との少なくとも一方に、前記固定板の角部とクリップの下端との当接により前記クリップの下端を拡開方向へ案内する面取部を設けた請求項１に記載の生垣バリカンへのチップレシーバの取付構造。
【請求項３】
クリップが金属製の線状体で折曲形成される請求項１に記載の生垣バリカンへのチップレシーバの取付構造。
【請求項４】
取付部に、クリップを拡開動作させる操作レバーを設けた請求項３に記載の生垣バリカンへのチップレシーバの取付構造。
【請求項５】
操作レバーは、所定の操作位置でクリップの拡開状態を維持可能とした請求項４に記載の生垣バリカンへのチップレシーバの取付構造。
【発明の詳細な説明】
【技術分野】
【０００１】
本発明は、生垣バリカンへチップレシーバを取り付けるための構造に関する。
【背景技術】
【０００２】
生垣バリカンは、本体の前方に、固定板と、その固定板の下部で前後へ往復動する一対の可動刃とからなる刃部を突設して、可動刃の互いに逆の往復動によって枝葉等の刈り込みが可能となっている。この生垣バリカンで生垣の上面等を刈り込む際、刈り取った枝葉を直後に受け止めて集めることができるように、固定板に沿ってチップレシーバを装着することがよく行われている。このチップレシーバの取付構造としては、特許文献１に示すように、固定板から固定用ネジを上方へ延長形成し、チップレシーバに設けた取付用長孔に挿入して、固定用ネジにノブナットを螺合させることで、チップレシーバを簡易に取付可能としたものが知られている。
【０００３】
【特許文献１】特開２００３−１１１５２０号公報
【発明の開示】
【発明が解決しようとする課題】
【０００４】
しかし、上記チップレシーバの取付構造では、着脱の際にノブナットをいちいち回転操作する必要があって手間が掛かる。また、チップレシーバを取り外した際にはノブナットを紛失するおそれもあって使い勝手に問題があった。
【０００５】
そこで、本発明は、刃部への着脱操作がより簡単に行え、部品の紛失のおそれもなく使い勝手に優れる生垣バリカンへのチップレシーバの取付構造を提供することを目的としたものである。
【課題を解決するための手段】
【０００６】
上記目的を達成するために、請求項１に記載の発明は、固定板の左右の側面に被係止部を夫々形成する一方、チップレシーバにおける刃部への取付部に、左右の下端が固定板の被係止部に夫々弾性係止可能で、且つ任意に拡開操作可能なクリップを設けて、クリップによる固定板の挟持によってチップレシーバを刃部へ取付可能としたことを特徴とするものである。
請求項２に記載の発明は、請求項１の目的に加えて、チップレシーバの取付操作をより簡略化するために、固定板の角部とクリップの下端との少なくとも一方に、固定板の角部とクリップの下端との当接によりクリップの下端を拡開方向へ案内する面取部を設けたものである。
請求項３に記載の発明は、請求項１の目的に加えて、クリップを簡単に形成するために、クリップが金属製の線状体で折曲形成される構成としたものである。
請求項４に記載の発明は、請求項３の目的に加えて、クリップを容易に拡開操作可能とするために、取付部に、クリップを拡開動作させる操作レバーを設けたものである。
請求項５に記載の発明は、請求項４の目的に加えて、チップレシーバの着脱操作をより容易にするために、操作レバーは、所定の操作位置でクリップの拡開状態を維持可能としたものである。
【発明の効果】
【０００７】
請求項１に記載の発明によれば、クリップの簡単な操作でチップレシーバの着脱が可能となり、使い勝手に優れる。勿論部品等の紛失のおそれは生じない。
特に、固定板の側面を挟持するため、刃部での固定構造にかかわりなくチップレシーバの取付が可能となり、タイプの異なる生垣バリカンにも採用できる利点がある。
請求項２に記載の発明によれば、請求項１の効果に加えて、取付の際にはクリップを拡開操作する必要がなく、ワンタッチで取り付けられる。よって、取付操作がより簡略化して使い勝手が向上する。
請求項３に記載の発明によれば、請求項１の効果に加えて、金属製の線状体によってクリップが簡単に形成可能となる。
請求項４に記載の発明によれば、請求項３の効果に加えて、操作レバーによってクリップの拡開動作が小さな力で容易に実現可能となり、操作性に優れたものとなる。
請求項５に記載の発明によれば、請求項４の効果に加えて、操作レバーによってクリップの拡開状態が維持されるので、チップレシーバの着脱操作がより容易となる。
【発明を実施するための最良の形態】
【０００８】
以下、本発明の実施の形態を図面に基づいて説明する。
図１は、生垣バリカンの一例を示す斜視図で、チップレシーバ１１を取り付けた状態を示している。この生垣バリカン１は、図示しないモータと、モータの回転を直線運動に変換するクランク機構とを内蔵した本体２の前方（図１の左側）に、クランク機構で動作する刃部３を突設してなる。この刃部３は、上下に位置する帯板状の固定板４，４と、その固定板４，４の間にあって左右の側縁に刃６，６・・を千鳥状に形成した二枚の可動刃５，５とからなり、クランク機構によって可動刃５，５が互いに逆方向へ前後移動することで、刃６による枝葉の刈り込みが可能となっている。７はトリガースイッチ８を設けた主ハンドル、９は本体２から斜め前方へ突設された補助ハンドル、１０はプロテクタである。
【０００９】
チップレシーバ１１は、図２，３にも示すように、生垣バリカン１の刃部３における上側の固定板４の上面に取り付けられる取付部としての板状部１２と、その板状部１２の一方の側縁に連設される皿状の受け部１３とから形成されている。受け部１３は、底部が板状部１２よりも低くなる深底状に形成されて、刈り込み後に溜まる枝葉を溢れにくくして捕集性を高めている。また、受け部１３の外周には、板状部１２の前後端から連続する壁１４が立ち上げ形成されている。但し、受け部１３の下面は、刈り込みの邪魔にならないように、チップレシーバ１１を刃部３に装着した際に刃部３の下面よりも低くならないように設定されている。
【００１０】
そして、板状部１２には、刃部３の固定ネジ１５，１５との干渉を回避するための逃げ孔１６，１６・・が、前後方向に沿って複数並設されており、逃げ孔１６，１６の間で前後二カ所には、板状部１２における受け部１３の連設側と逆の側縁から板状部１２と直交状に一対の溝１７，１７が形成され、各溝１７内にクリップ１８が夫々設けられている。
このクリップ１８は、中心板１９の左右に弾性片２０，２０を介して一対の係止体２１，２１を連結した合成樹脂の成形品で、溝１７の前後縁を繋いで上方へ突出する断面逆Ｕ字状のホルダ２２内に収容され、ホルダ２２の内面中心で下向きに突設されたボス２３に、中心板１９がネジ２４で固定されることで、係止体２１，２１をホルダ２２の左右に露出させた状態で保持されている。
【００１１】
また、各クリップ１８における係止体２１，２１の互いの対向面の下端には、前後方向に沿った係止爪２５，２５が突設されて、生垣バリカン１の上側の固定板４の左右の側面へ全長に亘って凹設された被係止部としての係止溝２６，２６に係止可能となっている。
さらに、クリップ１８は、係止爪２５が係止溝２６に係止していない状態では、弾性片２０，２０により、係止爪２５，２５の間隔が固定板４の幅よりもやや小さくなる狭小位置に保持されており、係止体２１，２１の上端を指でつまんで互いの近接方向へ移動させると、弾性片２０の付勢に抗して係止体２１，２１の下端が拡開するものとなる。但し、各係止体２１の下端面には、係止爪２５の先端側へ行くに従って上昇する面取部２７が夫々形成されて、固定板４との当接に伴い、面取部２７の案内で係止体２１，２１の下端間が拡開可能となっている。なお、ここでは固定板４の角部にも係止体２１，２１の拡開を案内する面取部２８，２８が形成されている。
【００１２】
以上の如く構成されたチップレシーバ１１を生垣バリカンへ取り付ける際は、前後のクリップ１８の係止体２１，２１の下端を夫々固定板４の左右の側縁にあてがった状態で下方へ押し込むと、面取部２７，２８の案内によって係止体２１，２１の下端間が拡開して係止爪２５，２５間への固定板４の進入を許容する。そして、各係止爪２５が係止溝２６に達すると、係止爪２５が互いの対向側に付勢されて図３のように係止溝２６に係止する。よって、前後のクリップ１８，１８で固定板４を挟持する格好でチップレシーバ１１の取付がなされる。なお、このように固定板４を挟持する構造のため、図４のように逆向きでの取付も同様に行える。
一方、チップレシーバ１１を取り外す際は、各クリップ１８の係止体２１，２１の上端を左右から指でつまむと、下端間が拡開して係止爪２５が係止溝２６から外れるため、チップレシーバ１１の取り外しが可能となる。
【００１３】
このように上記形態のチップレシーバ１１の取付構造によれば、固定板４の左右の側面に係止溝２６を夫々形成する一方、チップレシーバ１１の板状部１２に、左右の下端が固定板４の係止溝２６に夫々弾性係止可能で、且つ任意に拡開操作可能なクリップ１８を設けて、クリップ１８による固定板４の挟持によってチップレシーバ１１を刃部３へ取付可能としたことで、クリップ１８の簡単な操作でチップレシーバ１１の着脱が可能となり、使い勝手に優れる。勿論部品等の紛失のおそれは生じない。また、固定板４の側面を挟持するため、刃部３での固定構造にかかわりなくチップレシーバ１１の取付が可能となり、タイプの異なる生垣バリカンにも採用できる利点がある。
特にここでは、固定板４の角部とクリップ１８の下端とに、固定板４の角部とクリップ１８の下端との当接によりクリップ１８の下端を拡開方向へ案内する面取部２７，２８を設けたことで、取付の際にはクリップ１８を拡開操作する必要がなく、ワンタッチで取り付けられる。よって、取付操作がより簡略化して使い勝手が向上する。
【００１４】
なお、クリップは、係止体の両方とも弾性係止するものに限らず、一方の係止体をチップレシーバの板状部に固定し、他方の係止体にのみ弾性を付与して固定板を挟持させるようにしても差し支えない。また、クリップ側の面取部のみでも拡開の案内は可能であるので、固定板側の面取部は省略することができる。逆に、固定板側にのみ面取部を設けてクリップ側の面取部を省略することもできる。
さらに、クリップの数を増やしたり、固定板の係止溝に代えて断続的な凹部にしたり等、適宜設計変更可能である。
【００１５】
そして、クリップは、上記形態のような合成樹脂成形品に限らず、金属製の板バネや線状体でも形成可能である。図５は、線状体によるクリップを設けたチップレシーバ１１ａを示すもので、上が平面、中が正面、下が底面を夫々示す。
ここで用いられるクリップ３０は、図６，７にも示すように、鋼製の線状体を折り曲げ形成した２つの第１フック３１、第２フック３２とから形成されて、溝１７の周縁に立設される仕切壁３３間の前後に架設される第１保持部３４、第２保持部３５に夫々保持されている。まず第１フック３１は、中央でＵ字状に折曲した平行な線状体を、断面逆Ｌ字状の第１保持部３４の外面に沿うように四角形状に折曲して、上側の一対の自由端３６，３６を第１、第２保持部３４，３５間に差し込んで下方へ垂下させる一方、下側に位置する中央の第１Ｕ字部３７を、第１保持部３４の下方で受け部１３側へ突出させて係止爪としたものである。
【００１６】
次に、第２フック３２は、下端が第１フック３１の第１Ｕ字部３７と対向する第２Ｕ字部３８を折り曲げ形成した平面視板状に形成されるものであるが、第１フック３１のような前後対称形ではなく、一方の辺が中央へ行くほど高くなるように上方へ傾斜して、他方の辺よりも高い位置で一対の自由端３９，３９を前後方向へ平行に折曲させている。この自由端３９，３９を、第２保持部３５の端部に高低差を持って形成された軸支溝４０，４０に夫々嵌入させることで、第２Ｕ字部３８が第２保持部３５の下方にあって第１フック３１の第１Ｕ字部３７と対向し、反対側の端部が仕切壁３３によって溝１７の幅よりも大きく形成された平面視円形状の終端部４１内の上方に位置する傾斜姿勢で保持される。この状態で第１Ｕ字部３７と第２Ｕ字部３８との間隔は、生垣バリカン１の固定板４の幅よりもやや小さくなる設定となっており、ここから第２フック３２の上側端部を指で引っ掛けて起こすようにすると、自由端３９，３９を中心に第２フック３２を回転させて第２Ｕ字部３８を第１Ｕ字部３７から離して両者間を拡開させることができる。上側端部から指を離すと弾性によって最初の位置へ戻る。
【００１７】
以上の如く構成されたチップレシーバ１１ａを生垣バリカン１の固定板４へ取り付ける際には、第２フック３２の上側端部を指で起こすようにして回転させると、先述のように第２Ｕ字部３８が第１フック３１の第１Ｕ字部３７から遠ざかり、両者間の距離が固定板の幅よりも大きくなる。よって、そのまま第１フック３１の第１Ｕ字部３７を一方の係止溝２６に係止させて板状部１２を固定板４上にセットして、第２フック３２の上側端部から指を離すと、第２フック３２の第２Ｕ字部３８が他方の係止溝２６へ弾性的に係止して固定板４を挟持し、チップレシーバ１１ａの取付がなされる。
チップレシーバ１１ａを取り外す際には、取付の際と逆に、第２フック３２の上側端部を指で起こすようにして回転させ、第２Ｕ字部３８を係止溝２６から外した後、当該側を浮かせるようにしてチップレシーバ１１ａを傾け、第１フック３１の第１Ｕ字部３７を他方の係止溝２６から外せばよい。
【００１８】
このように、本変更例のチップレシーバ１１ａにおいても、クリップ３０による固定板４の挟持によってチップレシーバ１１ａを刃部３へ取付可能としたことで、クリップ３０の簡単な操作でチップレシーバ１１ａの着脱が可能となって使い勝手に優れ、部品等の紛失のおそれも生じない。また、固定板４の側面を挟持するため、刃部３での固定構造にかかわりなくチップレシーバ１１ａの取付が可能となり、タイプの異なる生垣バリカンにも採用できる。
さらに、この変更例では、鋼線によってクリップ３０が簡単に形成可能となる上、仕切壁３３の終端部４１によって第２フック３２の上側端部が保護され、偶発的な脱却のおそれがなくなる。また、溝１７よりも広い円形状であるので、指による上側端部の操作がしやすくなっている。
【００１９】
なお、この変更例では、板状体１２の側縁側を第１フック３１、受け部１３側を第２フック３２としているが、互いに逆に設置してもよい。また、第２フック３２のみを係止溝２６に弾性係止させているが、第１フックも同様の構成として弾性を付与して、両フックを指でつまんで拡開させるようにしても差し支えない。
【００２０】
その他、クリップは、２つのフックで形成するものに限らず、１本の線状体でクリップを形成することもできる。図８はその一例を示すもので、中央右が図示を省略したチップレシーバにおける溝１７部分の断面、左が正面、上が平面、下が底面を夫々表している。このクリップ４２は、１本の鋼線を用いて下端に第１、第２Ｕ字部４３，４４が形成される左右対称のブロック状に折曲形成したもので、上方の一辺側中央で下向きに位置させた一対の自由端４５，４５を、溝１７内に架設される位置決め部４６に穿設された固定孔４７に挿入させて、位置決め部４６を抱持するようにセットしている。４８は溝１７の内壁に突設されて自由端４５と反対側の上方他辺に係止する抜け止め用の突起である。
【００２１】
このクリップ４２の場合は、チップレシーバを傾けて第２Ｕ字部４４をまず固定板４の一方の係止溝２６に係止させ、そのままチップレシーバを他方側へ引っ張るようにすると、第２Ｕ字部４４側が位置決め部４６から離れるように外方へ撓んで第１Ｕ字部４３との間隔を広げることができる。よって、引っ張り状態のままチップレシーバを水平に戻して固定板４上にセットし、引っ張りを解除すれば、クリップ４２の弾性復帰で第１Ｕ字部４３が他方の係止溝２６に係止して固定板４の挟持がなされる。チップレシーバを取り外す場合は逆の手順で、チップレシーバをまず引っ張って第１Ｕ字部４３を係止溝２６から外した後、当該側を上方に引き上げてチップレシーバを傾けて引っ張りを解除すれば、そのまま第２Ｕ字部４４を他方の係止溝２６から外すことができる。
【００２２】
この変更例の場合も、クリップ４２による固定板４の挟持によってチップレシーバを刃部へ取付可能としたことで、図５等の変更例と同様の効果が得られるが、特にここでは一本の線状体でクリップが形成できる上、位置決め部の構造もシンプルで済むので、先の変更例よりもコスト面で有利となる。
【００２３】
また、図９，１０のような構造も考えられる。ここで用いられるクリップ５０は、固定板４の係止溝２６に係止する一対の第１，第２Ｕ字部５１，５２を１本の線状体で形成する点は図８の形態と同様で、チップレシーバ１１の前後方向で所定間隔をおいて突設された一対の保持壁５３，５３の対向面間の突起５４，５４によってクリップ５０の中間部が夫々保持されると共に、保持壁５３，５３の端部間を繋ぐように立設された連結壁５５で第１Ｕ字部５１が内側で保持されている。
一方、保持壁５３，５３における連結壁５５と反対側の端部で第２Ｕ字部５２の内側には、前後方向のピン５６によって操作レバー５７の基端が回転可能に軸着されている。この基端の軸着部５８は、回転中心から放射方向へ突出端５８ａが突出するカム形状となっており、図９（Ｂ）のように操作レバー５７がチップレシーバ１１の上面に沿った倒伏位置では、突出端５８ａがチップレシーバ１１の裏面側に突出する斜め下方へ向くようになっている。第２Ｕ字部５２は、この操作レバー５７の倒伏位置で、操作レバー５７の軸着部５８よりも先端寄りに穿設した透孔５９を貫通し、軸着部５８の外周に沿って回り込んで係止溝２６に係止している。６０は、クリップ５０における軸着部５８の上方で山形に折曲された折曲部である。
【００２４】
よって、この取付構造の場合は、倒伏位置から操作レバー５７をチップレシーバ１１から起こすようにして第１Ｕ字部５１側へ回転させると（なお、操作レバー５７の先端は、この起立操作がし易いように先端へ行くほどチップレシーバ１１の上面から遠ざかるくの字状に形成されている。）、軸着部５８の突出端５８ａがクリップ５０の図９（Ｂ）での右回転の弾性力に抗して内側から押し上げながら回転し、図９（Ｂ）に二点鎖線で示すように、第２Ｕ字部５２を引っ張るように撓ませて第１Ｕ字部５１との間隔を開かせる。そして、軸着部５８の突出端５８ａが折曲部６０に嵌合する位置にくると、突出端５８ａはクリップ５０の右回転の弾性力から解放されて、図１１のように操作レバー５７が起立位置で保持されてクリップ５０の拡開状態が維持される。よって、そのまま第１Ｕ字部５１を固定板４の一方の係止溝２６に係止させることができ、取付や取り外しの操作がしやすくなる。
【００２５】
次に、操作レバー５７を逆に倒伏側へ回転させ、軸着部５８を図９に示す倒伏位置に復帰させると、クリップ５０の弾性によって第２Ｕ字部５２が他方の係止溝２６に係止して第１Ｕ字部５１との間で固定板４の挟持を行い、チップレシーバ１１の取付が完了する。
チップレシーバ１１を取り外す場合も同様に、操作レバー５７をまず起立位置へ回転させて第２Ｕ字部５２を係止溝２６から外した後、当該側を上方に引き上げてチップレシーバ１１を傾ければ、そのまま第１Ｕ字部５１を係止溝２６から外してチップレシーバ１１を刃部３から取り外すことができる。
【００２６】
この変更例の場合も、クリップ５０による固定板４の挟持によってチップレシーバ１１を刃部３へ取付可能としたことで、図５等の変更例と同様の効果が得られるが、特にここでは、クリップ５０を拡開動作させる操作レバー５７を設けたことで、拡開動作が小さな力で容易に実現可能となり、操作性に優れたものとなる。
なお、操作レバーは、軸着部をカム状にするものに限らず、クリップの拡開動作が可能であれば単純な板状としてもよいし、さらにはピンを軸着部の両端へ一体に突設させる等、具体的な形状は適宜設計変更可能である。また、操作レバーは第１Ｕ字部側へ設けることもできるし、操作レバーを両Ｕ字部側へ夫々設けて、一対の操作レバーを同時につまむように回転操作してクリップの拡開動作を得るようにすることもできる。
【図面の簡単な説明】
【００２７】
【図１】チップレシーバを取り付けた生垣バリカンの斜視図である。
【図２】チップレシーバの分解斜視図である。
【図３】チップレシーバの取付構造を示す断面図である。
【図４】反対側にチップレシーバを取り付けた生垣バリカンの斜視図である。
【図５】チップレシーバの変更例を示す説明図である。
【図６】（Ａ）はＡ−Ａ線断面図、（Ｂ）はＢ−Ｂ線断面図である。
【図７】変更例のチップレシーバの取付構造を示す分解斜視図である。
【図８】チップレシーバの取付構造の他の変更例を示す説明図である。
【図９】チップレシーバの取付構造の他の変更例を示す説明図で、（Ａ）が平面、（Ｂ）がＣ−Ｃ断面、（Ｃ）がＤ−Ｄ断面、（Ｄ）がＥ−Ｅ断面を夫々示す。
【図１０】（Ａ）は図９のＦ−Ｆ断面図、（Ｂ）は同Ｇ−Ｇ断面図である。
【図１１】操作レバーを起立位置へ回転させた状態を示す断面図である。
【符号の説明】
【００２８】
１・・生垣バリカン、２・・本体、３・・刃部、４・・固定板、１１・・チップレシーバ、１２・・板状部、１３・・受け部、１７・・溝、１８，３０，４２，５０・・クリップ、２０・・弾性片、２１・・係止体、２５・・係止爪、２６・・係止溝、２７，２８・・面取部、３１・・第１フック、３２・・第２フック、３７，４３，５１・・第１Ｕ字部、３８，４４，５２・・第２Ｕ字部、５３・・保持壁、５６・・ピン、５７・・操作レバー、５８・・軸着部。
【図１】
2008113651.tif 000003
【図２】
2008113651.tif 000004
【図３】
2008113651.tif 000005
【図４】
2008113651.tif 000006
【図５】
2008113651.tif 000007
【図６】
2008113651.tif 000008
【図７】
2008113651.tif 000009
【図８】
2008113651.tif 000010
【図９】
2008113651.tif 000011
【図１０】
2008113651.tif 000012
【図１１】
2008113651.tif 000013